【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
少なくとも１つのプロセッサを有するシステムであって、
前記少なくとも１つのプロセッサは、
少なくとも１つの通信ネットワークで移動装置とゲーム情報を通信し、前記ゲーム情報は、前記移動装置のユーザにより関与される少なくとも１つの賭けに基づくゲーム活動に関連し、前記少なくとも１つの通信ネットワークは、所定の地域内でサービスエリアを有する複数の送信機を有し、前記複数の送信機のうち少なくとも１つは、前記所定の地域の外に広がるサービスエリアを有し、
前記移動装置が前記少なくとも１つの送信機のサービスエリア内にあることを決定し、
前記移動装置が前記少なくとも１つの送信機のサービスエリア内にあることを決定することに少なくとも部分的に基づいて、前記移動装置と前記少なくとも１つの送信機との間で少なくとも前記ゲーム情報の通信を回避するように動作可能であるシステム。
【請求項２】
前記少なくとも１つの送信機は、
セルラネットワークの基地局と、
WiFiネットワークの送信機と、
WiMaxネットワークの送信機と、
電話ネットワークのスイッチと、
ルータと
のうち少なくとも１つを有する、請求項１に記載のシステム。
【請求項３】
前記移動装置は、前記移動装置の前記ユーザにより入力されたキーストロークのログを格納するように動作可能であり、
前記ログは、前記少なくとも１つの賭けに基づくゲーム活動に関して前記ユーザにより行われたキーストロークを少なくとも有する、請求項１に記載のシステム。
【請求項４】
前記プロセッサは、前記キーストロークのログに少なくとも部分的に基づいて、前記ユーザのゲーム活動を監視するように更に動作可能である、請求項３に記載のシステム。
【請求項５】
前記移動装置は、少なくとも１つの通信ネットワークで音声通信を行い、音声通信を受信するように動作可能であり、
前記プロセッサは、前記ユーザが前記移動装置を介して前記少なくとも１つの賭けに基づくゲーム活動に関与することに少なくとも部分的に基づいて、前記移動装置が音声通信を行うことと音声通信を受信することとのうち少なくとも１つを回避するように更に動作可能である、請求項１に記載のシステム。
【請求項６】
前記移動装置は、インターネットでデータ通信を送信及び受信するように動作可能であり、
前記プロセッサは、前記ユーザが前記移動装置を介して前記少なくとも１つの賭けに基づくゲーム活動に関与することに少なくとも部分的に基づいて、前記移動装置がインターネットでデータ通信を送信することとデータ通信を受信することとのうち少なくとも１つを回避するように更に動作可能である、請求項１に記載のシステム。
【請求項７】
前記プロセッサは、
前記移動装置の位置を決定し、
前記位置が前記所定の地域の外にあることを決定し、
前記位置が前記所定の地域の外にあることを決定することに少なくとも部分的に基づいて、前記移動装置と前記ゲーム情報を通信することを中止するように更に動作可能である、請求項１に記載のシステム。
【請求項８】
前記プロセッサは、前記移動装置により送信されて複数の送信機により受信された１つ以上の信号の三角測量に少なくとも部分的に基づいて、前記移動装置の前記位置を決定するように動作可能である、請求項７に記載のシステム。
【請求項９】
前記複数の送信機のうち少なくとも１つは、ルータ及びスイッチのうち少なくとも１つを有し、
前記移動装置は、前記少なくとも１つのルータ及びスイッチに前記ゲーム情報を送信し、
前記プロセッサは、前記少なくとも１つのルータ及びスイッチに関連する識別子に少なくとも部分的に基づいて、前記移動装置の前記位置を決定するように動作可能である、請求項７に記載のシステム。
【請求項１０】
前記移動装置は、移動電話及び携帯情報端末のうち少なくとも１つを有する、請求項１に記載のシステム。
【請求項１１】
前記少なくとも１つの通信ネットワークは、
802.11x  WiFiネットワークと、
802.16x  WiMaxネットワークと、
プライベート無線ネットワークと、
プライベート有線ネットワークと、
セルラネットワークと、
衛星ネットワークと
のうち少なくとも１つを有する、請求項１に記載のシステム。
【請求項１２】
前記プロセッサは、前記移動装置が前記少なくとも１つの送信機のサービスエリア内にあることを決定することに少なくとも部分的に基づいて、前記移動装置と前記ゲーム情報を通信することを中止するように更に動作可能である、請求項１に記載のシステム。
【請求項１３】
前記移動装置は、前記所定の地域から無許可の地域に移動可能であり、
前記ユーザは、前記所定の地域内から前記移動装置を介して前記少なくとも１つの賭けに基づくゲーム活動に関与することを許可され、前記無許可の地域内から前記移動装置を介して前記少なくとも１つの賭けに基づくゲーム活動に関与することを許可されず、
前記プロセッサは、いつ前記移動装置が前記所定の地域にあるか、いつ前記移動装置が前記無許可の地域にあるかを決定し、
前記移動装置が前記所定の地域から前記無許可の地域に入ったときに、前記移動装置と前記ゲーム情報を通信することを一時停止し、
前記ゲーム装置が前記所定の地域に再び入ったときに、前記ゲーム装置と前記ゲーム情報を通信することを再開するように更に動作可能である、請求項１に記載のシステム。
【請求項１４】
前記プロセッサは、前記ゲーム装置が前記無許可の地域にある間に、前記ゲーム情報に対応するデータを格納するように更に動作可能である、請求項１３に記載のシステム。
【請求項１５】
メモリと、
前記メモリに通信可能に結合された少なくとも１つのプロセッサと
を有する移動装置であって、
前記少なくとも１つのプロセッサは、
少なくとも１つの通信ネットワークでゲームサーバにゲーム情報を送信し、前記ゲーム情報は、前記移動装置のユーザにより関与される少なくとも１つの賭けに基づくゲーム活動に関連し、
前記少なくとも１つの賭けに基づくゲーム活動に関して前記ユーザにより行われたキーストロークを監視し、
前記キーストロークのログを前記メモリに格納するように動作可能である移動装置。
【請求項１６】
前記ユーザは、所定の許可された地域内から前記移動装置を介して前記少なくとも１つの賭けに基づくゲーム活動に関与することを許可され、無許可の地域内から前記移動装置を介して前記少なくとも１つの賭けに基づくゲーム活動に関与することを許可されず、
前記プロセッサは、前記移動装置が前記無許可の地域にあることに少なくとも部分的に基づいて、前記ゲームサーバに前記ゲーム情報を送信することを中止するように更に動作可能である、請求項１５に記載の移動装置。
【請求項１７】
前記プロセッサは、いつ前記移動装置が前記所定の許可された地域にあるか、いつ前記移動装置が前記無許可の地域にあるかを少なくとも部分的に決定するように更に動作可能である、請求項１６に記載の移動装置。
【請求項１８】
前記少なくとも１つの通信ネットワークは、ルータ及びスイッチのうち少なくとも１つを有し、
前記移動装置は、前記少なくとも１つのルータ及びスイッチを介して前記ゲームサーバに前記ゲーム情報を送信し、
前記プロセッサは、前記少なくとも１つのルータ及びスイッチから、前記少なくとも１つのルータ及びスイッチに関連する識別子を取得し、
前記識別子に少なくとも部分的に基づいて、前記移動装置の前記位置を決定するように動作可能である、請求項１７に記載の移動装置。
【請求項１９】
前記移動装置は、少なくとも１つの通信ネットワークで音声通信を行い、音声通信を受信するように動作可能であり、
前記プロセッサは、前記ユーザが前記移動装置を介して前記少なくとも１つの賭けに基づくゲーム活動に関与することに少なくとも部分的に基づいて、前記移動装置が音声通信を行うことと音声通信を受信することとのうち少なくとも１つを回避するように更に動作可能である、請求項１５に記載の移動装置。
【請求項２０】
前記所定の許可された地域は、
カジノのギャンブル地域と、
カジノのホテルのゲストルームと、
カジノに隣接した位置にある屋外リクリエーション地域と、
カジノ施設にあるサービスエリアと
のうち少なくとも１つを有する、請求項１６に記載の装置。